(57)【要約】【課題】電話着信時の報知音を規制する着信通知の設定内容に連携してテレビ放送の出力状態を制御できるようにする。【解決手段】テレビ放送受信モジュール２１を備えた携帯電話装置において、ＣＰＵ１は、テレビ放送が起動された際に、電話着信設定テーブルを参照してマナーモードに設定されているかを判別し、マナーモードに設定されていれば、テレビ設定テーブルに字幕情報を付加しないことを示す字幕設定無しが設定されていても、受信した字幕情報をテレビ画像に合成して字幕付きのテレビ画像を表示出力すると共に、テレビ設定テーブルに設定されている音量レベルに拘らず、テレビ放送を消音状態で出力する。【選択図】  図1
2006173970.tif 000002
【特許請求の範囲】
【請求項１】
電話通信機能とテレビ放送受信機能とを備えた携帯端末装置であって、
電話通信機能における着信通知の仕方を任意に設定する第１の設定手段と、
テレビ放送受信機能における放送出力の仕方を任意に設定する第２の設定手段と、
テレビ放送受信機能が起動された際に、前記第１の設定手段による着信通知の設定内容を判別する判別手段と、
この判別手段によって電話着信時の報知音を規制する設定内容であることが判別された場合に、前記テレビ放送出力の設定内容に拘らず、受信した字幕情報をテレビ画像に合成して字幕付きのテレビ画像を表示出力させる出力制御手段と、
を具備したことを特徴とする携帯端末装置。
【請求項２】
前記判別手段によって判別された設定内容が電話着信時の報知音の発生に代わって振動による報知を行うマナーモードであれば、前記出力制御手段は、現在設定されているテレビ放送の音量レベルに拘らず、テレビ放送を消音状態に切り換える、
ようにしたことを特徴とする請求項1記載の携帯端末装置。
【請求項３】
前記判別手段によって判別された設定内容が電話着信時の報知音の発生に代わって振動による報知を行うマナーモードであれば、前記出力制御手段は、受信したテレビ放送に字幕情報が含まれているか否かを判別し、字幕情報が含まれていれば、前記テレビ放送出力の設定内容が字幕無しを示すものであっても、字幕付きのテレビ画像を表示出力する、
ようにしたことを特徴とする請求項1記載の携帯端末装置。
【請求項４】
通話通信機能とテレビ放送受信機能とを備えた携帯端末装置であって、
テレビ放送受信機能における放送出力の仕方を任意に設定する設定手段と、
テレビ放送の受信出力中に通話通信機能が通話状態となったか否かを監視する監視手段と、
この監視手段によって通話状態となったことが検出された際に、前記テレビ放送出力の設定内容に拘らず、受信したテレビ放送を消音状態で、その字幕情報をテレビ画像に合成して字幕付きのテレビ画像を表示出力させる出力制御手段と、
を具備したことを特徴とする携帯端末装置。
【請求項５】
コンピュータに対して、
電話通信機能における着信通知の仕方を任意に設定する機能と、
テレビ放送受信機能における放送出力の仕方を任意に設定する機能と、
テレビ放送受信機能が起動された際に、前記着信通知の設定内容を判別する機能と、
電話着信時の報知音を規制する設定内容であることが判別された場合に、前記テレビ放送出力の設定内容に拘らず、受信した字幕情報をテレビ画像に合成して字幕付きのテレビ画像を表示出力する機能と、
を実現させるためのプログラム。
【請求項６】
コンピュータに対して、
テレビ放送受信機能における放送出力の仕方を任意に設定する機能と、
テレビ放送の受信出力中に通話通信機能が通話状態となったか否かを監視する機能と、
通話状態となったことが検出された際に、前記テレビ放送出力の設定内容に拘らず、受信したテレビ放送を消音状態で、その字幕情報をテレビ画像に合成して字幕付きのテレビ画像を表示出力する機能と、
を実現させるためのプログラム。
【発明の詳細な説明】
【技術分野】
【０００１】
この発明は、テレビ放送受信機能を備えた携帯端末装置およびプログラムに関する。
【背景技術】
【０００２】
近年、携帯電話装置は、その多機能化が益々進み、通話通信機能、メール機能以外の付加機能として、カメラ撮影機能、インターネット機能、録音機能などが装備され、さらには、テレビ放送受信機能を備えた携帯電話装置も製品化され始めている。
このテレビ放送受信機能付きの携帯電話装置(ＴＶ付き携帯電話)にあっては、テレビ放送を視聴中に電話着信(通話呼び出し)を受けた際に、テレビモードを一時中断し、電話の終了時点でテレビモードを復帰させるようにしているため、電話中にあっては、テレビ放送を視聴することができなくなる。
そこで、従来では、テレビ放送の視聴中に通話状態となった際には、テレビ放送を自動的に録画するようにした携帯通信装置が知られている（特許文献１参照）。
【特許文献１】特開２００４−１９３９４４号公報
【発明の開示】
【発明が解決しようとする課題】
【０００３】
しかしながら、特許文献１の技術においては、電話中の間、テレビ放送を自動録画することによって電話終了後の自動再生によってテレビ放送を引き続き見ることが可能であるが、電話中にあってはテレビ放送を見ることはできず、また、通話時間が長くなると、メモリ容量によっては録画不能となるおそれもあった。
ところで、携帯電話装置においては、電話着信時の報知音を規制する動作モード、つまり、電話着信時に報知音の発生に代わって振動による報知を行うマナーモードに切り換え設定することが可能であるが、このマナーモードは、電話通信機能に対する動作モードであり、他の付加機能とは無関連であった。
【０００４】
第１の発明の課題は、電話着信時の報知音を規制する着信通知の設定内容に連携してテレビ放送の出力状態を制御できるようにすることである。
第２の発明の課題は、テレビ放送の視聴中に通話状態となった際には、これに連携してテレビ放送の出力状態を制御できるようにすることである。
【課題を解決するための手段】
【０００５】
請求項１記載の発明（第１の発明）は、電話通信機能とテレビ放送受信機能とを備えた携帯端末装置であって、電話通信機能における着信通知の仕方を任意に設定する第１の設定手段と、テレビ放送受信機能における放送出力の仕方を任意に設定する第２の設定手段と、テレビ放送受信機能が起動された際に、前記第１の設定手段による着信通知の設定内容を判別する判別手段と、この判別手段によって電話着信時の報知音を規制する設定内容であることが判別された場合に、前記テレビ放送出力の設定内容に拘らず、受信した字幕情報をテレビ画像に合成して字幕付きのテレビ画像を表示出力させる出力制御手段とを具備したことを特徴とする。
さらに、コンピュータに対して、上述した請求項１記載の発明に示した主要機能を実現させるためのプログラムを提供する（請求項５記載の発明）。
【０００６】
なお、「字幕情報」とは、放送番組の内容を聴覚障害者でも理解できるように、テレビ放送の音声を文字で表したり、音楽、効果音を記号などで表したものである(以下、同様)。上述した「電話通信機能」は、通話通信機能以外に電子メール通信機能であってもよく、また、「電話通信機能における着信通知の設定」は、着信音を発生させるか否かの設定以外に着信音の音量レベルの設定であってもよく、さらに、「テレビ放送受信機能における放送出力の設定」は、テレビ画像に字幕情報を付けるか否かの設定、音量レベルの設定、消音設定であってもよい。
【０００７】
なお、請求項１記載の発明は次のようなものであってもよい。
前記判別手段によって判別された設定内容が電話着信時の報知音の発生に代わって振動による報知を行うマナーモードであれば、前記出力制御手段は、現在設定されているテレビ放送の音量レベルに拘らず、テレビ放送を消音状態に切り換える（請求項２記載の発明）。
【０００８】
前記判別手段によって判別された設定内容が電話着信時の報知音の発生に代わって振動による報知を行うマナーモードであれば、前記出力制御手段は、受信したテレビ放送に字幕情報が含まれているか否かを判別し、字幕情報が含まれていれば、前記テレビ放送出力の設定内容が字幕無しを示すものであっても、字幕付きのテレビ画像を表示出力する（請求項３記載の発明）。
【０００９】
請求項４記載の発明（第２の発明）は、通話通信機能とテレビ放送受信機能とを備えた携帯端末装置であって、テレビ放送受信機能における放送出力の仕方を任意に設定する設定手段と、テレビ放送の受信出力中に通話通信機能が通話状態となったか否かを監視する監視手段と、この監視手段によって通話状態となったことが検出された際に、前記テレビ放送出力の設定内容に拘らず、受信したテレビ放送を消音状態で、その字幕情報をテレビ画像に合成して字幕付きのテレビ画像を表示出力させる出力制御手段とを具備したことを特徴とする。
さらに、コンピュータに対して、上述した請求項４記載の発明に示した主要機能を実現させるためのプログラムを提供する（請求項５記載の発明）。
【００１０】
なお、上述した「通話状態」とは、着信応答時のオフフック操作あるいは発信時のオフフック操作から通話を切るオンフック操作が行われるまでの間を意味しているが、着信通知の開始時からオンフック操作までの間であってもよい。また、「テレビ放送受信機能における放送出力の設定」は、テレビ画像に字幕情報を付けるか否かの設定、音量レベルの設定、消音設定であってもよい。
【発明の効果】
【００１１】
請求項１記載の発明（第１の発明）によれば、電話通信機能における着信通知の状態が任意に設定されていると共に、テレビ放送受信機能における放送出力の状態が任意に設定されている状態において、テレビ放送受信機能が起動された際に、着信通知の設定内容を判別し、着信時の報知音を規制する設定内容であれば、テレビ放送の出力設定の内容に拘らず、受信した字幕情報をテレビ画像に合成して字幕付きのテレビ画像を表示するようにしたから、電話着信時の報知音を規制する設定に連携してテレビ放送の出力状態を制御することができる。すなわち、テレビ放送受信機能が起動された際に、着信時の報知音が規制されていれば、テレビ放送出力の設定内容が字幕無しに設定されていても、字幕付きテレビ画像を見ることができ、テレビ放送の番組内容を字幕によって理解しながら楽しむことができる。
【００１２】
請求項２記載の発明によれば、上述した請求項１記載の発明と同様の効果を有する他、電話着信時の報知音の発生に代わって振動による報知を行うマナーモードに設定されていれば、現在設定されているテレビ放送の音量レベルに拘らず、テレビ放送を消音状態に切り換えるようにしたから、電話着信用としてのマナーモードに連携してテレビ放送の出力状態を制御することができ、周囲に迷惑をかけることなく、テレビ放送番組を楽しむことができる。
【００１３】
請求項３記載の発明によれば、上述した請求項１記載の発明と同様の効果を有する他、電話着信時の報知音の発生に代わって振動による報知を行うマナーモードに設定されている状態において、受信したテレビ放送に字幕情報が含まれていれば、テレビ放送出力の設定内容が字幕無しを示すものであっても、字幕付きのテレビ画像を表示出力するようにしたから、テレビ放送出力の設定内容に拘らず、字幕付きの放送番組を楽しむことができる。
【００１４】
請求項４記載の発明（第２の発明）によれば、テレビ放送受信機能における放送出力の状態が任意に設定されている状態において、テレビ放送の受信出力中に通話通信機能が通話状態となった際に、テレビ放送出力の設定内容に拘らず、受信したテレビ放送を消音状態で、その字幕情報をテレビ画像に合成して字幕付きのテレビ画像を表示出力するようにしたから、テレビ放送の視聴中に通話状態となった際には、これに連携してテレビ放送の出力状態を制御することができる。すなわち、テレビ放送を中断したり、録画することなく、通話中であっても引き続いてテレビ放送番組を楽しむことができる。
【発明を実施するための最良の形態】
【００１５】
（実施例１）
以下、図１〜図４を参照して本発明の第１実施例を説明する。
この実施例は、携帯端末装置として携帯電話装置に適用した場合を例示したもので、図１は、携帯電話装置の基本的な構成要素を示したブロック図である。
この携帯電話装置は、その基本機能である電話通信機能(通話通信機能および電子メール通信機能)以外の付加機能として、カメラ撮影機能、インターネット接続機能、テレビ放送受信機能などが装備されている。この携帯電話装置は、電話通信機能における着信通知の状態(マナーモードのＯＮ／ＯＦＦなど)を任意に設定可能であると共に、テレビ放送受信機能における放送出力の状態(字幕表示の有り無しなど)を任意に設定可能であり、「マナーモード」に設定されている状態において、テレビ放送受信機能が起動された際には、このテレビ放送出力の設定内容に拘らず、テレビ放送を強制的に消音状態とするほか、字幕付きのテレビ画像を表示するようにしている。
なお、この実施例の特徴部分を詳述する前に、この実施例のハードウェア上の構成について以下、説明しておく。
【００１６】
ＣＰＵ１は、記憶部２内の各種のプログラムに応じてこの携帯電話装置の全体動作を制御する中央演算処理装置である。記憶部２は、不揮発性メモリ(内部メモリ)であり、たとえば、ＲＯＭ(フラッシュメモリなど)によって構成され、プログラム領域とデータ領域とを有し、このプログラム領域には、後述する図３および図４に示す動作手順に応じて本実施例を実現するためのプログラムが格納されている。ＲＡＭ３は、ワーク領域を有する内部メモリであり、メモリカード４は、着脱自在な記録メディアであり、たとえば、スマートメディア、ＩＣカードなどによって構成され、ＲＡＭ３との間において画像データなどの授受が行われる。
【００１７】
ＣＰＵ１には、通信データ処理部５、オーディオインターフェイス６が接続されており、アンテナ７からの受信電波が無線部８によって検波、復調されると共にデジタル変換されて通信データ処理部５に与えられると、通信データ処理部５は、通話呼出、メール受信、インターネット受信かを判別し、通話呼出あるいはメール受信であれば、ＣＰＵ１は、音源ＩＣ部９に設定されている着信音を読み出してアンプ(ＡＭＰ)１０に与え、報知用／テレビ用スピーカ１１から着信音を発生出力させると共に、表示制御部１２を介して報知用ＬＥＤ１３を点滅駆動させる。この際、「マナーモード」に設定されていれば、着信時の報知音に代わって振動モータ１４を駆動させてバイブレーション報知を行う。
【００１８】
さらに、ＣＰＵ1は、通話呼出であれば、オフフック操作(応答操作)によって通話相手先との接続が確立されると、通信データ処理部５からの音声データをオーディオインターフェイス６を介して音声スピーカ１５から発生出力させる。この場合、マイクロホン１６からの入力音声は、オーディオインターフェイス６、通信データ処理部５を介して無線部８に与えられて変調された後にアンテナ７から発信出力される。また、ＣＰＵ１は、電子メールを受信した場合には、受信メールを通信データ処理部５から取り込んでＲＡＭ３内のメールボックス内に格納保存する。
【００１９】
また、ＣＰＵ１には、その入出力周辺デバイスであるキー操作部１７が接続されていると共に、表示制御部１２を介してメイン表示部１８、サブ表示部１９が接続されているほか、さらには、カメラ撮像部２０、テレビ放送受信モジュール２１が接続されている。キー操作部１７には、ダイアル番号などの数値データを入力したり、文字データを入力したり、各種のコマンドを入力する際に使用されるもので、図示省略したが、各種のキーが備えられている。すなわち、メインメニューを呼び出すためのメニューキー、メール機能を起動するメールキー、カメラ撮影機能を起動するカメラキー、テレビ放送受信モジュール２１を起動するテレビキー、電源のオン／オフ時および通話を切るオンフック操作時などに使用される電源キー、通話発信の開始／応答受信(オフフック)を指示する開始キーと、電話番号などを入力するダイヤルキー、４方向に対応してメニュー項目などを選択するカーソルキー、カーソルキーで選択された項目を決定するときなどに使用される決定キーなどを有している。
【００２０】
メイン表示部１８は、たとえば、2.4インチのカラー液晶画面(高精細ディスプレイ)である。サブ表示部１９は、折り畳み式の装置本体を折り畳んだ状態において、たとえば、現在時刻、メッセージなどを案内表示する背面側の画面である。カメラ撮像部２０は、撮影レンズ、ミラー等のレンズ・ミラーブロック、ＣＣＤイメージセンサ等の撮像素子、その駆動系のほか、測距センサ、光量センサ、アナログ処理回路、信号処理回路、圧縮伸張回路等を備えたもので、光学ズームを調整制御したり、オートフォーカス時の駆動制御、シャッター駆動制御、露出、ホワイトバランス等を制御する。
【００２１】
テレビ放送受信モジュール２１は、ＴＶアンテナ２２を備え、携帯電話などの携帯受信機向けの地上波デジタルテレビ放送を受信するもので、テレビ画像および音声情報以外にも電子番組表(ＥＰＧ)、字幕情報、解説情報なども含めて受信可能であると共に、双方向の通信サービスも利用可能となっている。そして、テレビ放送受信モジュール２１は、専用ＣＰＵを中核とするもので、ＴＶアンテナ２２に接続されている受信部と、受信したテレビ放送を映像信号(テレビ画像、字幕情報)、音声信号(音声、音楽などを含む音響信号)に分離する増幅分離部、圧縮データを解凍するデコード部などを有する構成となっており、このテレビ放送受信モジュール２１から出力されたテレビ映像信号は、表示制御部１２を介してメイン表示部１８から表示出力され、また、テレビ音声信号は、設定音量レベルに応じて制御されるアンプ１０を介して報知用／テレビ用スピーカ１１から発生出力される。なお、テレビ放送の受信チャンネル切り換えは、上述したカーソルキー操作によって行い、テレビ放送の受信終了(テレビ中止)は、上述した決定キーによって行うようにしている。
【００２２】
図２は、ＲＡＭ３に記憶されている電話着信設定テーブル３１、テレビ設定テーブル３２、一時記憶用のワーク領域(一時メモリ)３３の内容を示した図である。
電話着信設定テーブル３１は、電話通信機能(通話通信機能、電子メール通信機能)における着信通知を制御するための情報が設定されるもので、「マナーモードフラグ」、「設定着信音」の各項目を有している。「マナーモードフラグ」は、マナーモードのオン／オフ(ＯＮ／ＯＦＦ)を切り換える動作モード制御用のフラグであり、「設定着信音」は、音源ＩＣ９に設定されている各種の着信音の中から任意に選択指定した着信音を指定するメロディ名などの情報である。
【００２３】
テレビ設定テーブル３２は、テレビ放送受信モジュール２１におけるテレビ放送出力を制御するための情報が設定されるもので、「設定チャンネル」、「設定音量」、「字幕設定有無」の各項目を有している。「設定チャンネル」は、テレビチャンネルの切り換え操作に応じて設定された現在のチャンネル情報であり、「設定音量」は、テレビ放送の音量調整操作に応じて設定された現在の音量レベルであり、「字幕設定有無」は、字幕情報を表示するか否かを示すもので、字幕有りが設定されていれば、テレビ放送に字幕情報が含まれていることを条件に、字幕付きのテレビ画像が表示され、字幕無しが設定されていれば、テレビ放送に字幕情報が含まれていても、字幕無しのテレビ画像が表示される。
【００２４】
また、一時メモリ３３は、テレビ放送の出力状態を制御するもので、テレビ設定テーブル３２の「設定音量」、「字幕設定有無」に応じて「音量レベル」、「字幕フラグ」がセットされる。なお、音量レベルは、たとえば、レベル“５”〜“０”の６段階に調整可能となっており、最大音量のレベル“５”に対してレベル“０”は、消音状態であることを示している。「字幕フラグ」は、そのオン／オフによって字幕有無を示すもので、オンは字幕有り、オフは字幕無しに対応付けられている。
【００２５】
次ぎに、この第１実施例における携帯電話装置の動作概念を図３および図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体の他に、伝送媒体を介して外部供給されたプログラム／データを利用してこの実施例特有の動作を実行することもできる。
【００２６】
図３〜図４は、電源投入に伴って実行開始される携帯電話装置の動作を示したフローチャートである。
先ず、ＣＰＵ１は、電源投入に伴って待ち受け状態となり、待受画面を表示している待ち受け状態において、電話着信を検出すると、つまり、通話着信あるいはメール受信を検出すると(ステップＡ１でＹＥＳ)、電話着信設定テーブル３１から「マナーモードフラグ」を読み出してそのオン／オフ状態を調べ、現在、マナーモードに設定されているか否かの判別を行う(ステップＡ２)。
【００２７】
ここで、マナーモードフラグがオフされている場合(マナーモードが解除されている場合)には、電話着信設定テーブル３１から「設定着信音」を読み出し、この「設定着信音」で示される着信音を報知用／テレビ用スピーカ１１から発生出力させると共に報知用ＬＥＤ１３を点滅駆動させるが(ステップＡ３)、マナーモードフラグがオンされている場合には、振動モータ１４を駆動させてバイブレーションを発生させると共に報知用ＬＥＤ１３を点滅駆動させる(ステップＡ４)。ここで、通話着信時のオフフック操作(応答操作)が行われると(ステップＡ５)、通話相手先との接続が確立されて通話可能状態となり、通話を切るオンフック操作(終了操作)が行われるまで受信音声を出力したり、入力音声を送信する通話処理が継続される(ステップＡ６)。
【００２８】
また、ＣＰＵ１は、待ち受け状態において、ユーザ操作によって電話着信設定テーブル３１の内容を設定する着信設定が指示されると(ステップＡ７でＹＥＳ)、任意に選択指定された設定対象項目を判別し、「マナーモード」の設定／解除であれば(ステップＡ８でＹＥＳ)、そのフラグのオン／オフ状態をチェックする(ステップＡ９)。ここで、フラグがオンされていれば、電話着信設定テーブル３１の「マナーモードフラグ」をオフに切り換えるが(ステップＡ１０)、フラグがオフされていれば(ステップＡ９でＮＯ)、「マナーモードフラグ」をオンに切り換える(ステップＡ１１)。また、設定対象項目として「設定着信音」が指定された場合には(ステップＡ８でＮＯ)、任意に選択された着信音を指定するためメロディ名などの情報を電話着信設定テーブル３１の対応項目にセットする(ステップＡ１２)。
【００２９】
また、待ち受け状態において、ユーザ操作によってテレビ起動が指示された際には(ステップＡ１３)、この起動指示に応答してテレビ放送受信モジュール２１を動作させた後に(ステップＡ１４)、図４のステップＡ２０に移り、以下、テレビ放送出力処理などの実行に移るが、上述した着信設定、テレビ起動以外の指示操作であれば (ステップＡ１５でＹＥＳ)、この指示操作に対応する処理として、たとえば、電話帳作成登録処理、メール作成送信処理、インターネット接続処理、カメラ撮影処理などを実行した後に(ステップＡ１６)、待ち受け状態に戻る。
【００３０】
図４のステップＡ２０において、ＣＰＵ１は、テレビ起動の指示に応答して電話着信設定テーブル３１から「マナーモードフラグ」を読み出し、このオン／オフ状態をチェックする(ステップＡ２１)。ここで、マナーモードが解除されていれば(ステップＡ２１でＮＯ)、テレビ設定テーブル３２から「設定チャンネル」、「設定音量」、「字幕設定有無」を読み出し(ステップＡ２３)、この「設定音量」に応じた「音量レベル」を一時メモリ３３にセットすると共に(ステップＡ２４)、「字幕設定有無」を参照し(ステップＡ２５)、字幕設定有りであれば、一時メモリ３３の「字幕フラグ」をオンさせる(ステップＡ２６)。
一方、マナーモードに設定されていれば(ステップＡ２１でＹＥＳ)、テレビ設定テーブル３２の「設定音量」に拘らず、一時メモリ３３の「音量レベル」に“０(消音レベル)”をセットすると共に(ステップＡ２２)、テレビ設定テーブル３２の「字幕設定有無」に拘らず、一時メモリ３３の「字幕フラグ」をオンさせる(ステップＡ２６)。
【００３１】
ここで、テレビ放送受信モジュール２１は、テレビ設定テーブル３２から読み出された「設定チャンネル」に基づいて当該チャンネル帯域のテレビ放送を受信すると(ステップＡ２７)、一時メモリ３３の「字幕フラグ」を参照してそのオン／オフ状態をチェックし(ステップＡ２８)、「字幕フラグ」がオンされていれば、受信したテレビ放送の中に字幕情報が含まれているか否かをチェックし(ステップＡ２９)、字幕情報が含まれていることを条件に、受信したテレビ画像に対応する字幕情報を合成し、この字幕付きテレビ画像をメイン表示部１８に表示出力させる(ステップＡ３０)。なお、テレビ画像に字幕情報を合成する際には、予め決められている位置に合成されるが、この合成位置を携帯電話側で任意に選択設定するようにしてもよい。
【００３２】
一方、受信したテレビ放送の中に字幕情報が含まれていても、「字幕フラグ」がオフされている場合(ステップＡ２８でＮＯ)、逆に、「字幕フラグ」がオンされていても、テレビ放送に字幕情報が含まれていない場合には(ステップＡ２９でＮＯ)、字幕無しのテレビ画像をメイン表示部１８に表示出力させる(ステップＡ３１)。そして、一時メモリ３３から読み出された「音量レベル」に応じて音量調整を行い、受信したテレビ放送をこの音量で発生出力させる (ステップＡ３２)。
【００３３】
このようにしてテレビ放送番組を出力している状態において、ユーザ操作からテレビ終了(停止)が指示されたか(ステップＡ３３)、テレビ設定の変更が指示されたか否かを調べ(ステップＡ３４)、テレビ設定の変更が指示された際には、テレビ設定テーブル３２の内容を読み出して案内表示させた後(ステップＡ３５)、変更対象の項目が選択されてその項目内容の変更操作が行われると、テレビ設定テーブル３２の対応項目の内容が書き換え変更される(ステップＡ３６)。そして、ステップＡ２０に戻り、以下、変更後のテレビ設定テーブル３２の内容に基づいて「字幕フラグ」のオン／オフ、「音量レベル」の調整、受信チャンネルの切り換えが行われる。また、テレビ終了(停止)が指示されると(ステップＡ３３でＹＥＳ)、「字幕フラグ」をオフさせると共に、テレビ放送受信モジュール２１の動作を停止させた後(ステップＡ３７)、最初の待ち受け状態に戻る。
【００３４】
以上のように、テレビ放送受信モジュール２１を備えた携帯電話装置において、ＣＰＵ１は、テレビ放送が起動された際に、電話着信設定テーブル３１を参照してマナーモードに設定されているか否かを判別し、マナーモードに設定されていれば、テレビ設定テーブル３２に字幕無しが設定されていても、受信した字幕情報をテレビ画像に合成して字幕付きのテレビ画像を表示出力すると共に、テレビ設定テーブル３２の「設定音量」に拘らず、テレビ放送を消音状態で出力するようにしたから、電話着信用としてのマナーモードに連携してテレビ放送の出力状態を制御することができ、周囲に迷惑をかけることなく、テレビ放送の番組内容を字幕によって理解しながら楽しむことができる。
【００３５】
なお、上述した第１実施例においては、電話着信用のマナーモードに設定されている場合に、テレビ放送を消音状態で字幕付きのテレビ画像を出力するようにしたが、マナーモードの設定時であっても、テレビ放送を消音とせず、音量レベルを自動的に低くするようにしてもよく、また、マナーモードに設定されている場合に限らず、着信音の音量レベルが低く設定されている場合(たとえば、音量レベル“０”〜“５”のうち、レベル“１”に設定されている場合)に、テレビ放送を消音状態あるいは着信音の音量レベル“１”に合わせた低い音量で字幕付きのテレビ画像を出力するようにしてもよい。
【００３６】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、電話通信機能における着信通知の仕方を任意に設定する機能と、テレビ放送受信機能における放送出力の仕方を任意に設定する機能と、テレビ放送受信機能が起動された際に、前記着信通知の設定内容を判別する機能と、電話着信時の報知音を規制する設定内容であることが判別された場合に、前記テレビ放送出力の設定内容に拘らず、受信した字幕情報をテレビ画像に合成して字幕付きのテレビ画像を表示出力する機能とを実現させるためのプログラムを記録したコンピュータが読み取り可能な記録媒体を提供するようにしてもよい。
（実施例２）
【００３７】
以下、この発明の第２実施例について図５を参照して説明する。
なお、上述した第１実施例は、テレビ放送受信モジュール２１を備えた携帯電話装置において、電話着信用のマナーモードに連携してテレビ放送の出力状態を制御するようにしたが、この第２実施例においては、テレビ放送の視聴中に通話状態となった際に、これに連携してテレビ放送の出力状態を制御するようにしたものである。
ここで、両実施例において基本的あるいは名称的に同一のものは、同一符号を付して示し、その説明を省略すると共に、以下、第２実施例の特徴部分を中心に説明するものとする。なお、この第２実施例においても、ＲＡＭ３には、上述した電話着信設定テーブル３１、テレビ設定テーブル３２、一時記憶用のワーク領域(一時メモリ)３３が設けられている。
【００３８】
図５は、第２実施例において、電源投入に伴って実行開始される携帯電話装置の動作を示したフローチャートである。
先ず、上述した第１実施例と同様に、ＣＰＵ１は、待ち受け状態において、電話着信(通話着信あるいはメール受信)を検出すると (ステップＢ１でＹＥＳ)、電話着信設定テーブル３１から「マナーモードフラグ」を読み出してそのオン／オフ状態を調べ、マナーモードが解除されている場合には、電話着信設定テーブル３１の「設定着信音」を読み出し、この「設定着信音」で示される着信音を報知用／テレビ用スピーカ１１から発生出力させると共に報知用ＬＥＤ１３を点滅駆動させるが、マナーモードに設定されている場合には、振動モータ１４を駆動させてバイブレーションを発生させると共に報知用ＬＥＤ１３を点滅駆動させる(ステップＢ２)。ここで、通話着信時のオフフック操作(通話応答操作)が行われると(ステップＢ３)、通話相手先との接続が確立されて通話可能状態となり、通話を切るオンフック操作(終了操作)が行われるまで受信音声を出力したり、入力音声を送信する通話処理が継続される(ステップＢ４)。
【００３９】
また、ＣＰＵ１は、待ち受け状態において、ユーザ操作によってテレビ起動が指示されたか否かをチェックし(ステップＢ５)、テレビ起動以外の指示操作であれば(ステップＢ６でＹＥＳ)、この指示操作に対応する処理として、たとえば、電話帳作成登録処理、メール作成送信処理、インターネット接続処理、カメラ撮影処理などを実行した後(ステップＢ７)、待ち受け状態に戻る。いま、テレビ起動の指示操作であれば(ステップＢ５でＹＥＳ)、テレビ放送受信モジュール２１を動作させた後に(ステップＢ８)、テレビ設定テーブル３２から「設定チャンネル」、「設定音量」、「字幕設定有無」を読み出し(ステップＢ９)、この「設定音量」を一時メモリ３３の「音量レベル」にセットすると共に(ステップＢ１０)、「字幕設定有無」を参照し (ステップＢ１１)、字幕設定有りを条件として、一時メモリ３３の「字幕フラグ」をオンさせる(ステップＢ１２)。
【００４０】
ここで、テレビ放送受信モジュール２１は、テレビ設定テーブル３２から読み出された「設定チャンネル」に基づいて当該チャンネル帯域のテレビ放送を受信すると(ステップＢ１３)、「字幕フラグ」を参照してそのオン／オフ状態をチェックし(ステップＢ１４)、「字幕フラグ」がオンされていれば、受信したテレビ放送に対応する字幕情報を合成し、この字幕付きテレビ画像をメイン表示部１８に表示出力させる(ステップＢ１５)。また、「字幕フラグ」がオフされていれば(ステップＢ１４でＮＯ)、字幕無しのテレビ画像をメイン表示部１８に表示出力させる(ステップＢ１６)。そして、一時メモリ３３から読み出された「音量レベル」に応じて音量調整を行い、受信したテレビ放送をこの音量で発生出力させる (ステップＢ１７)。
【００４１】
このようにしてテレビ放送番組を出力している状態において、ユーザ操作からテレビ終了(停止)が指示されたか否かをチェックし(ステップＢ１８)、終了指示を受け際には、「字幕フラグ」をオフさせると共に、テレビ放送受信モジュール２１の動作を停止させた後に(ステップＢ１９)、最初の待ち受け状態に戻る。一方、テレビ放送番組を出力している状態において、ＣＰＵ１は、通話着信を検出したか否かをチェックし(ステップＢ２０)、通話着信を検出しなければ、ステップＢ１３に戻り、テレビ放送受信モジュール２１は、引き続いてテレビ放送を受信出力するが、通話着信を検出した際には、オフフック操作(通話応答操作)が行われたか否かをチェックし(ステップＢ２１)、通話応答操作が行われるまでの間、ステップＢ１３に戻る。
【００４２】
ここで、テレビ放送の受信出力中において、通話着信に応答してオフフック操作が行われると(ステップＢ２１でＹＥＳ)、ＣＰＵ１は、一時メモリ３３の「字幕フラグ」を参照してそのオン／オフ状態をチェックし(ステップＢ２２)、オフされていれば、「字幕フラグ」をオンし(ステップＢ２３)、また、一時メモリ３３の「音量レベル」を判別した結果(ステップＢ２４)、“０”以外であれば、「音量レベル」に“０”をセットして消音状態に変更する(ステップＢ２５)。そして、通話を切るオンフック操作(終了操作)が行われるまでの間、テレビ放送出力に並行して通話処理が実行される(ステップＢ２６)。この場合、テレビ放送は、「字幕フラグ」がオン、「音量レベル」が“０”にセットされるため、消音状態で字幕付きのテレビ映像となる(ステップＢ１３〜Ｂ１７)。
【００４３】
以上のように、この第２実施例においてＣＰＵ１は、テレビ放送の受信出力中に通話状態となった際に、テレビ設定テーブル３２に字幕無しが設定されていたり、所望の音量レベルが設定されていても、受信したテレビ放送を消音状態で、字幕付きのテレビ画像を表示出力するようにしたから、テレビ放送の視聴中に通話状態となった際には、これに連携してテレビ放送の出力状態を制御することができる。すなわち、テレビ放送を中断したり、録画することなく、通話中であっても引き続きテレビ放送を見ることが可能となる。
【００４４】
なお、図５においては、テレビ放送の受信出力中に通話着信が有り、そのオフフック操作が行われた際に、テレビ放送を消音、字幕付きに切り換える場合を示したが、テレビ放送出力中に通話を切るオンフック操作が行われた場合には、一時メモリ３３の「音量レベル」および「字幕フラグ」の内容を元の状態に復帰させるようにしてもよい。すなわち、テレビ放送番組の出力中に通話を切るオンフック操作が行われた際に、この操作応答してテレビ設定テーブル３２から「設定音量」、「字幕設定有無」を読み出して一時メモリ３３にセットすることによって一時メモリ３３の内容を元の状態に復帰させるようにしてもよい。この場合、通話を切る操作が行われてから一定時間の経過(たとえば、５秒経過)後に一時メモリ３３の内容を元の状態に自動復帰させてもよく、さらに、自動復帰に限らず、ユーザによる指示操作に応答してテレビ放送の出力状態を元の状態に復帰させるようにしてもよい。
【００４５】
上述した第２実施例においては、テレビ放送の受信出力中に通話着信が有り、そのオフフック操作が行われた際に、テレビ放送を消音、字幕付きに切り換えるようにしたが、この切り換えタイミングは、通話着信を検出した時点であってもよい。つまり、通話着信と同時に消音、字幕付きに切り換えるようにしてもよい。また、テレビ放送出力中の通話着信でテレビ放送の出力状態を変更するか否かを任意に選択可能としてもよい。
【００４６】
また、コンピュータが読み取り可能なプログラムコードを有する記録媒体であって、テレビ放送受信機能における放送出力の仕方を任意に設定する機能と、テレビ放送の受信出力中に通話通信機能が通話状態となったか否かを監視する機能と、通話状態となったことが検出された際に、前記テレビ放送出力の設定内容に拘らず、受信したテレビ放送を消音状態で、その字幕情報をテレビ画像に合成して字幕付きのテレビ画像を表示出力する機能とを実現させるためのプログラムを記録したコンピュータが読み取り可能な記録媒体を提供するようにしてもよい。
【００４７】
その他、上述した第１および第２実施例においては、携帯電話装置に適用した場合を示したが、携帯電話装置に限らず、電話通信機能とテレビ放送受信機能とを備えたＰＤＡなどの携帯端末装置であっても同様に適用可能である。また、上述した第１および第２実施例において、テレビ放送を消音、字幕付きに切り換えている間、テレビ放送を録音および録画するようにしてもよい。
【００４８】
さらに、テレビ放送番組を視聴している際に、ユーザ操作によって消音設定に切り換えられた場合には、テレビ放送の中に字幕情報が含まれていることを条件に、字幕付きのテレビ画像を表示するようにしてもよい。すなわち、マナーモード設定あるいは通話状態に限らず、テレビ放送番組を視聴している際の消音操作に連動して字幕付き映像に切り換えるようにしてもよい。
【図面の簡単な説明】
【００４９】
【図１】携帯電話装置の基本的な構成要素を示したブロック図。
【図２】ＲＡＭ３に記憶されている電話着信設定テーブル３１、テレビ設定テーブル３２、一時記憶用のワーク領域(一時メモリ)３３の内容を示した図。
【図３】電源投入に伴って実行開始される携帯電話装置の動作を示したフローチャート。
【図４】図３に続く、フローチャート。
【図５】第２実施例において、電源投入に伴って実行開始される携帯電話装置の動作を示したフローチャート。
【符号の説明】
【００５０】
１  ＣＰＵ
２  記憶部２
５  通信データ処理部
６  オーディオインターフェイス
７  アンテナ
８  無線部
１０  アンプ
１１  報知用／テレビスピーカ
１２  表示制御部
１３  報知用ＬＥＤ
１４  振動モータ
１６  マイクロホン
１７  キー操作部
１８  メイン表示部
２１  テレビ放送受信モジュール
３１  電話着信設定テーブル
３２  テレビ設定テーブル
３３  一時メモリ
【図１】
2006173970.tif 000003
【図２】
2006173970.tif 000004
【図３】
2006173970.tif 000005
【図４】
2006173970.tif 000006
【図５】
2006173970.tif 000007